(57)【要約】テレビ番組とそれらのウェブ同時放送とを管理するための方法およびシステムについて開示している。従って、本発明は、ウェブ同時放送のソースを示すタグ情報を検出するためのインカミングテレビ信号をモニタする。それ故、多くのエンハンスドウェブコンテンツは、記憶媒体における記憶と後の検索のために検索される。検索されたウェブコンテンツは、テレビの視聴者が特定のテレビ番組にリンクしたエンハンスド機能の１つにおいて選択的に参加することができるように所定の基準に従ってフォーマットされ、視聴者に興味をもたせる。
2005500748.tif 000002
【特許請求の範囲】
【請求項１】
テレビ番組とそれらと同期化されたウェブ同時放送を管理する方法であって、
（ａ）前記ウェブ同時放送のソースを識別するタグ情報のための複数のソースからの入力テレビ信号を検出する段階；
（ｂ）前記同期化ウェブ同時放送のソースに通信チャンネルを確立する段階；
（ｃ）前記同期化ウェブ同時放送のソースから多くのエンハンスド機能を検索する段階；
（ｄ）後の検索のために記憶媒体に前記検索されたエンハンスド機能を記憶する段階；並びに
（ｅ）コンテンツリストを生成するために所定の基準に従って前記検索されたエンハンスド機能をフォーマットする段階；
を有することを特徴とする方法。
【請求項２】
請求項１に記載の方法であって、視聴者に前記コンテンツリストを提供する段階をさらに有する、ことを特徴とする方法。
【請求項３】
請求項１に記載の方法であって、前記コンテンツリストは、エンハンスド機能の説明、ソース、長さ、開始時間、終了時間およびそれらの組み合わせを有する群から選択される情報を有する、ことを特徴とする方法。
【請求項４】
請求項１に記載の方法であって、視聴者によりテレビ番組に結び付けられる前記エンハンスド機能の１つを選択する段階をさらに有する、ことを特徴とする方法。
【請求項５】
請求項４に記載の方法であって、前記選択されたエンハンスド機能に同期化された対応する前記テレビ番組と共に前記ユーザにより選択された前記エンハンスド機能の１つを表示する段階をさらに有する、ことを特徴とする方法。
【請求項６】
請求項１に記載の方法であって、前記所定の基準は前記同期化されたウェブ同時放送の前記ソースに関連するエンハンスド機能の数を規定する、ことを特徴とする方法。
【請求項７】
テレビ番組とそれらと同期化されたウェブ同時放送を管理する方法であって：
（ａ）複数のテレビ放送会社からのテレビ番組を受信する段階；
（ｂ）前記同期化されたウェブ同時放送のそれぞれのソースを認識するタグ情報のための複数の前記テレビ番組を検出する段階；
（ｃ）前記検出されたタグ情報が、前記同期化されたウェブ同時放送が現時点で放送されていることを示すかどうかを決定する段階であって、
（ｃ）（１）（ｉ）その答がはいである場合、前記タグ情報により示される前記同期化されたウェブ同時放送の前記ソースへのチャンネル接続を確立し、
（ｃ）（１）（ｉｉ）視聴者に前記同期化されたウェブ同時放送のソースから多くのエンハンスド機能をダウンロードし且つ表示し、
（ｃ）（２）（ｉ）その答がいいえである場合、前記タグ情報により示される前記同期化されたウェブ同時放送の前記ソースへのチャンネル接続を確立し、
（ｃ）（２）（ｉｉ）後の検索のための記憶媒体における記憶のために前記同期化されたウェブ同時放送の前記ソースから多くのエンハンスド機能をダウンロードする、
段階；並びに
（ｄ）前記視聴者により選択可能なコンテンツリストを生成するために所定の基準に従って前記検索されたエンハンスド機能をフォーマットする段階；
を有することを特徴とする方法。
【請求項８】
請求項７に記載の方法であって、前記表示する段階は前記視聴者の入力に応じてインタラクティブに実行される、ことを特徴とする方法。
【請求項９】
テレビ番組とそれらの関連するウェブ同時放送を管理するためのシステムであって：
同期化されたウェブ同時放送のソースを示すタグ情報を検出するために、ユーザにより視聴されるインカミングテレビ番組を受信するために結合される検出手段；
前記同期化されたウェブ同時放送の前記ソースに対して通信チャンネルを確立するための通信手段；
前記インカミングテレビ番組に対応する複数のエンハンスド機能を代表するデータを記憶するための記憶手段；
前記ユーザにより選択可能であるコンテンツリストを作成するための所定の基準に従って前記検索されたエンハンスド機能をフォーマットするため、および前記同期化ウェブ同時放送のソースから複数の前記エンハンスド機能を検索するために、前記記憶手段、前記検出手段および通信手段に結合される制御手段；並びに
前記ユーザによりインタラクティブに選択された前記検索されたエンハンスド機能の１つおよび前記インカミングテレビ番組を表示するために、前記制御手段に結合される表示手段；
を有することを特徴とするシステム。
【請求項１０】
請求項９に記載のシステムであって、前記複数のエンハンスド機能を代表するデータは前もってインタラクティブに生成される、ことを特徴とするシステム。
【請求項１１】
テレビ番組とその関連のウェブ同時放送とを管理するためのシステムであって：
コンピュータ読み取り可能符号を記憶するための記憶器；並びに
前記記憶器に動作可能であるように結合されたプロセッサであって、同期化されたウェブ同時放送のソースを識別するタグ情報のため複数のソースからインカミングテレビ信号を検出するためのプロセッサ；
を有し、
前記同期化されたウェブ同時放送のソースに対して通信チャンネルを確立する段階；
前記同期化されたウェブ同時放送のソースから多くのエンハンスド機能を検索する段階；
後の検索のために記憶媒体に前記検索されたエンハンスド機能を記憶する段階；
コンテンツリストを生成するために所定の基準に従って前記検索されたエンハンスド機能をフォーマットする段階；並びに
前記選択されたエンハンスド機能に同期化される対応するテレビ番組と共に前記ユーザにより選択された前記エンハンスド機能の１つを表示する段階；
を有することを特徴とするシステム。
【発明の詳細な説明】
【技術分野】
【０００１】
本発明は、パーソナルビデオ受信器に関し、特に、対応するエンハンスドテレビのウェブ同時放送を有するテレビ放送を管理するための方法および装置に関する。
【背景技術】
【０００２】
膨大な量のマルチメディアを有する近代世界は、テレビの視聴者に莫大な多様化と様々なオプションを提供している。今日、ケーブルテレビサービスによりみることができる５００以上の異なる番組のチャンネルがある。オンラインのインターネットサービスはまた、電子ニュース、プライベートメッセージサービス、ゲームおよび他の関連のダウンロードサービスを含む多様な異なるサービスを提供している。“エンハンスドテレビ”として知られる電子情報の１つの形式は非常にポピュラーになっている。簡単のために、用語“エンハンスドテレビ”または“エンハンスド特徴”は、視聴者がテレビ番組を視聴するとき、種々のインタラクティブ機能に視聴者の参加を可能にするために、放送局のサーバにより提供されるウェブコンテンツを参照する。この機能において、特定のウェブページのコンテンツはテレビ放送と同期化され、それ故、視聴者は、パーソナル受信器により、対応するテレビ番組が放送されていると同時に、特定のウェブサイトにログインすることができる。例えば、月曜の夜のフットボールに関するＡＢＣ．ＣＯＭウェブサイトからのウェブページは、“ＡＢＣ放送の月曜夜のフットボール（Ｍｏｎｄａｙ  Ｎｉｇｈｔ  Ｆｏｏｔｂａｌｌ）”放送中にアクティブである。フットボール中に、ＡＢＣ．ＣＯＭサイトは、“月曜の夜のフットボールをエンハンスしたテレビページ”のコンテンツのウェブページを見ているユーザがオフェンスのとのようなプレイが次のプレイにおいてなされる可能性があるかを予想することを可能にする。視聴者からのこのような予想は、次のプレイが開始されるまでに収集され、次いで、一旦、次のプレイが完了すると、応答が計算され、スコアが更新される。双他の方向機能の形態がまた、同じテレビ番組において利用可能である。
【０００３】
今日のトレンドは、殆どのテレビ放送局が視聴者に対して多様なエンハンスメント機能を提供していることである。デジタルトランスポートストリームにおいてデータ放送アプリケーションを配信deliverするために、当該分野における規格がＡＴＳＣ（Ａｖｖａｎｃｅｄ  Ｔｅｌｅｖｉｓｉｏｎ  Ｓｙｓｔｅｍ  Ｃｏｍｍｉｔｔｅｅ）によりまとめられてきた。ＡＴＳＣデータ放送規格２０００（Ａ／９０）は、放送ストリームにおいて送信され且つデジタルテレビ（ＤＴＶ）受信器またはセットトップボックス（ＳＴＢ）において実行される種々のアプリケーションを提供し、それらのコンテンツは参照と組み合わされる。しかしながら、テレビ番組にリンクされる“エンハンスド機能”は、一般に、前もって視聴者に知らされない。従って、テレビ放送と対応する視聴者の好みに従ったエンハンスドテレビウェブ同時放送との両方の同期化再生を制御することにおいて、視聴者を支援するための管理機構を提供する必要がある。従って、本発明は、異なる“エンハンスド機能”が特定のウェブサイトに対して前もってダウンロードされ且つ後に実行されることが可能であるシステムと方法を提供し、それ故、視聴者は、テレビ番組と同調して参加することを好むエンハンスメント機能の１つを選択することができる。
【発明の開示】
【課題を解決するための手段】
【０００４】
本発明は、テレビ番組とそれらに関連するウェブ同時放送を管理するための方法およびシステムを対象とする。
【０００５】
本発明の特徴に従って、管理システムであって、同期化されたウェブ同時放送のソースを示すタグ情報を検出するために、ユーザにより視聴されるインカミングテレビ番組を受信するために結合される検出手段と、同期化されたウェブ同時放送のソースに対して通信チャンネルを確立するための通信手段と、インカミングテレビ番組に対応する複数のエンハンスド機能を代表するデータを記憶するための記憶手段と、ユーザにより選択可能であるコンテンツリストを作成するための所定の基準に従って検索されたエンハンスド機能をフォーマットするため、および同期化ウェブ同時放送のソースから複数のエンハンスド機能を検索するために、記憶手段、検出手段および通信手段に結合される制御手段と、ユーザによりインタラクティブに選択された検索されたエンハンスド機能の１つおよびインカミングテレビ番組を表示するために制御手段に結合される表示手段と、をを有する管理システムを提供する。
【０００６】
本発明の他の特徴に従って、テレビ番組とそれらに関連するウェブ同時放送とを管理する方法であって、ウェブ同時放送のソースを識別するタグ情報のための複数のソースからの入力テレビ信号を検出する段階と、同期化ウェブ同時放送のソースに通信チャンネルを確立する段階と、同期化ウェブ同時放送のソースから多くのエンハンスド機能を検索する段階と、後の検索のために記憶媒体に検索されたエンハンスド機能を記憶する段階と、ユーザにより選択可能であるコンテンツリストを生成するために所定の基準に従って検索されたエンハンスド機能をフォーマットする段階と、を有する方法を提供する。
【０００７】
本発明についての上記のおよび他の特徴並びに優位性は、同時提出の図面であって、参照符号は種々の図面を通じて同じ構成要素に付けた図面、に示したような好適な実施形態の詳細な説明を理解することにより明らかになるであろう。図面は必ずしも拡大してはいない。本発明の原理を示すとき、それに代えて強調している。
【発明を実施するための最良の形態】
【０００８】
以下の説明においては、限定するというよりむしろ簡単化および明瞭化を目的として、不必要な部分を詳細に説明して本発明の説明を不明瞭にすることのないように、周知の装置、回路および方法の詳細な説明は省略する。
【０００９】
図１を参照するに、本発明の好適な実施形態は、多くのテレビ番組に同期化された複数のウェブ同時放送を収集してまとめて且つ管理することができる受信システム１０である。特定のテレビ番組において利用可能である多くの“エンハンスド機能”の１つを視聴者が選択できるように、収集されまとめられた情報は視聴者に提供される。図１に示すように、受信システム１０は、従来のテレビ（ＴＶ）放送会社５およびインターネットコンテンツプロバイダ（または、サーバ）４からオーディオ／ビデオプログラミングおよびデータを受信する。両方のインカミング信号は、次いで、表示のためにテレビセット２に転送される。テレビ番組は、衛星放送、無線、ケーブルテレビ、有線放送およびウェブを含む伝送手段により、アナログ、デジタルまたはデジタル的に圧縮されたフォーマットの状態で伝送されることができる。また、受信システム１０は、ビデオプログラミングを伝達する高速線、ＲＦ、従来式のモデムまたはインタラクティブケーブルにより特定のウェブサーバからのインターネットコンテンツを受信するパーソナルコンピュータシステム（図示せず）に結合されることが可能である。リモートコントローラ３はまた、ときと場合によっては、本発明のシステム１０への発生指令信号に提供される。
【００１０】
図２を参照するに、本発明の原理に従ったシステム１０は、対応するエンハンスドウェブコンテンツをもつ特定のテレビ放送の同期化プレイに関する情報を表すタグ情報（ＩＤ）を検出するためにインカミングテレビ番組信号をモニタする。放送会社によるトランスポートデータに加えられるタグＩＤは、テレビ番組に関連するウェブコンテンツが提供されるウェブコンテンツプロバイダのソース（または、アプリケーションＩＤ）とアプリケーションの時間とを含む。タグＩＤは、デジタルテレビ環境において利用可能である放送素材からの選択とナビゲーションにおける受信器システム１０の支援に対してデザインされる。従って、タグＩＤは各々の番組についての情報を提供し、対応するエンハンスドテレビウェブ同時放送、番組タイトル、開始時間、終了時間、経過時間、残り時間および番組コンテンツの要約のようなプログラミング特性を含む。
【００１１】
タグＩＤを検出するとき、受信システム１０において提供されるブラウザは、タグＩＤにより指定されるウェブサーバ４へのウェブ接続を確立するためにアクティブにされる。サーバ４は、一般に、インターネットに関連する遠隔コンピュータシステムである。ユーザは、ハイパーテキスト転送プロトコル（ＨＴＴＰ）により提供される機能を利用するサーバ４にリンクすることができる。ワールドワイドウェブ（ＷＷＷ）は、このプロトコルに従う全てのサーバを含み、これらのサーバはユーアールエル（ＵＲＬ）を通じてユーザ（クライアント）によりアクセス可能である。それ故、２つの基本的構成要素、すなわち、用いられるプロトコルと対象パス名を有するＵＲＬを指定することによりインターネットサーバにアクセスすることができる。例えば、ＵＲＬアドレス、“ｈｔｔｐ：／／ｗｗｗ．ｄｉｓｎｅｙ．ｃｏｍ”はハイパーテキスト転送プロトコル（“ｈｔｔｐ”）とサーバ（“ｗｗｗ．ｄｉｓｎｅｙ．ｃｏｍ”）のパス名にアドレスする。サーバ名は一意の数値（ＴＣＰ／ＩＰアドレス）に関連する。また、ウェブ接続がプロキシに対してなされることができ、または、繋がりのないサードパーティがインタラクティブ性を与える。サーバ４の機能は、ユーザのリクエストに応じてＨＴＴＰ応答（または、ウェブページ）のフォームの状態で情報を提供することである。従って、ユーザが関連するトピックを通してウェブページを見ることを可能にする複雑な関連の状態で、電子情報は、テキスト、画像、音声および動きが、互いにリンクされている。
【００１２】
一般の人々に多くの“エンハンスド番組”を提供するウェブサーバ４に通信チャンネルを確立した後、ウェブサーバ４のコンテンツおよびその関連のアプリケーションは、受信システム１０に記憶され且つ前もってダウンロードされる。一方、全てのダウンロード情報は、再編成され、プレイモードの間にその後の検索のための容易に認識可能なフォーマットの状態で視聴者に提供される。その後、プレイモードにおいて、特定のテレビ番組に結び付けられる両方の“エンハンスド番組”は、ユーザがインタラクティブに参加することができるように、同期方式で実行される。また、“エンハンスド機能”は、関連するテレビ番組が放送されるときに、ユーザに提供され且つ受信システムにより自動的に検索されることが可能である。
【００１３】
図３は、図１に示した代表的な実施形態に従った受信システム１０の図的表現である。受信システム１０は、コントローラ１２、ＭＰＥＧ復号器１３、検出器１４、ハードディスクドライブ１５、ビデオプロセッサ１６、ウェブ制御ユニットを有する記憶器１８、および再生部１９を有する。ＭＰＥＧ復号器１３は、他のＭＰＥＧ基準、すなわち、ＭＰＥＧ−１、ＭＰＥＧ−２、ＭＰＥＧ−４およびＭＰＥＧ−７に適合することが可能である。コントローラ１２は、ビューモード、記録モード、実行モード、および従来式のセットトップボックスにおいて共通である他のモードを含む、システム１０の全体的な動作を管理する。
【００１４】
動作モードにおいて、受信システム１０は、ケーブルサービスプロバイダ、衛星放送受信アンテナおよび従来型のＲＦ放送を含む種々の媒体によりテレビ番組のストリームを受信する。コントローラ１２はＭＰＥＧ復号器１３がインカミングテレビ信号を復号化するようにし、次いで、復号化されたテレビ信号はタグＩＤを検出するために検出器１４によりモニタされる。復号化されたテレビ信号は、テレビセット２における表示のために再生部１９に転送され、または、その次の検索のためにハードディスクドライブ１５に記憶されることができる。タグＩＤが検出される場合、関連するウェブコンテンツプロバイダのソースが決定される。次いで、コントローラ１２は、ウェブブラウザ１７が対応するウェブサーバ４に接続されるようにする。全てのアプリケーションおよびＨＴＭＬフォーマットを含むウェブコンテンツはダウンロードされ、次の検索のために記憶器１８に保存される。任意の数の商業的にまたは公的に利用可能であるブラウザを、本発明の好適な実施形態に従って、種々の実行において利用することができることを特記しておく。例えば、ＮｅｔｓｃａｐｅＴＭ（Ｎｅｔｓｃａｐｅ社の登録商標）のようなブラウザを、ＨＴＴＰの下で指定される機能を提供するために、本発明の実施形態に従って利用することができる。例えば、受信システム１０は、特定のテレビ番組（すなわち、ＡＢＣＴＭ放送からの“百万長者になりたいひと？（Ｗｈｏ  Ｗａｎｔｓ  Ｔｏ  Ｂｅ  Ａ  Ｍｉｌｌｉｏｎａｒｅ”））が  特定の時間に同じ放送会社のウェブサーバ（すなわち、ｗｗｗ．ＡＢＣ．ｃｏｍ）からウェブコンテンツと共に同時放送される。その放送会社のウェブサーバは、視聴者が参加することができる多くの種々の“エンハンスド機能”を提供するためにスケジューリングされる。したがって、システム１０は、関連するウェブコンテンツおよびアプリケーション情報をダウンロードし、それ故、テレビ番組の次の実行は、その放送会社のサーバからの関連するウェブコンテンツと共に、後に認識されることができる。
【００１５】
上記のダウンロード動作は、多くのテレビ番組のために実行される。受信システム１０は、それぞれの放送会社のウェブサーバからダウンロードされるこの情報を処理し、図４に示すようなそれぞれのテレビ放送会社により提供される種々の“エンハンスド機能”をリストアップするフォーマットにおいて要約される。ダウンロードされたウェブコンテンツは時間を記録され、同期化ポイントがその後の再生の目的のために加えられる。その後、再生部１９は記憶器１８から記憶されたウェブコンテンツを検索し、動作モードの間に対応するテレビ番組と共に再同期化し直す。例えば、視聴者は、選択するために、図４に示したリストを与えられる。一定のショーの間、視聴者は、種々の“エンハンスド機能”に参加するための幾つかのオプションを有する。視聴者がそのショー、“危機”のコンテンツでプレイしたいと思うとき、視聴者はオプション１を選択する。このようにして、その後になってテレビ番組を見る視聴者は、放送会社のサーバにより提供される“エンハンスド機能”を選択し、楽しむことができる。少しではあるが、エンハンスド同時放送について、説明の目的のために図４に示すが、本発明はさらに数多くの“エンハンスド機能”をサポートすることができる。図示における異なる“エンハンスド機能”の数は、本発明の範囲を制限するべきものではない。
【００１６】
図５は、本発明により実行する動作段階を示す図である。本発明の選択した実施形態は、システム１０内で実行されるソフトウェアである。コンピュータ番組（または、コンピュータ制御ロジック）は、記憶器１８に記憶される。そのようなコンピュータ番組は、実行されるとき、ここで述べたように、コンピュータが本発明の機能を実行することを可能にする。矩形状要素はコンピュータソフトウェア指令を表し、ひし形状要素は、矩形状ブロックにより表されるコンピュータソフトウェア指令の実行に影響を及ぼすコンピュータソフトウェア指令を表す。また、処理ブロックと決定ブロックは、デジタルシグナルプロセッサ回路または特定用途向け集積回路（ＡＳＩＣ）のような機能的に同等な回路により実行される。このフロー図は、何らかの特定のプログラミング言語の構文について示していない。むしろ、このフロー図は、当業者が回路を作成し、または、特定のアプリケーションの必要である処理を実行するコンピュータソフトウェアを作成するため必要である機能的情報について示している。
【００１７】
ケーブルサービスのプロバイダ、アンテナまたは衛星放送サービスからインカミングテレビ信号を受信するとき、受信システム１０は、段階１００においてウェブコンテンツのソースと時間を示すタグＩＤを検出する。タグＩＤは、インカミングテレビ番組と同期化される特定のウェブコンテンツを提供する。タグＩＤがインカミングテレビ信号から検出される場合、段階１１０において、受信システム１０は、テレビ番組と同期化される必要のあるウェブコンテンツが現時点で同時放送されるかどうかを決定する。それに対して肯定的である場合、段階１２０において、システム１０は、表示のために検出されたタグＩＤから推測される対応する放送会社のウェブサーバに対して受信システム１０のウェブブラウザ１７をアクティブにすることによるウェブ接続を確立する。段階１３０において、指定のウェブコンテンツが放送会社のウェブサーバからダウンロードされ、段階１７０において対応するテレビ番組と共に同時放送される。検出されたタグＩＤが、テレビ番組に関連するウェブコンテンツが段階１１０において後の時間のためにスケジューリングされている場合、システム１０は、段階１４０において、対応する放送会社のウェブサーバへのウェブ接続１０を確立する。次いで、段階１５０において、指定のウェブキャストからの全てのイベントおよびアプリケーションコンテンツは、受信システム１０の記憶器１９に記憶されることができる。段階１６０において、システム１０は、ダウンロードされたウェブコンテンツを処理し、前指定された基準に従ってコンテンツリストを作成する。標準的なプレイモードの間に、システム１０の記憶器１８に記憶されたウェブコンテンツは検索され、標準的な視聴時間の間にテレビ番組と再同期化される。同時に、視聴者が同時放送のインターネットコンテンツと共に“エンハンスド機能”の１つに参加したい場合、図４に示すように、システム１０はオプションウィンドウを提供し、再生回路１０がテレビ番組と共に選択されたエンハンスメント機能を表示するようにする。
【００１８】
以上のように、デジタルテレビ環境下で多くのエンハンスメント機能を管理するための方法およびシステムについて詳述したように、本発明のシステムにより特定の有利点が実現することが当業者に理解されることであろう。上記内容は、本発明の実施形態を示すことのみのために構成されたものである。当業者は、本発明の基本的主旨または範囲から何ら逸脱することなく、本発明と同様である機能を与える、代わりの構成を容易に発想することができる。
【図面の簡単な説明】
【００１９】
【図１】本発明の代表的な実施形態に従ってテレビ番組とそれらの関連のウェブ同時放送を管理することができるシステムの単純化したブロック図である。
【図２】本発明の代表的な実施形態に従ってテレビ番組とそれらの関連のウェブ同時放送を管理することができるシステムの他の単純化したブロック図である。
【図３】本発明の実施形態に従った管理システムの単純化したブロック図である。
【図４】本発明に従った図３に示したシステムにより管理される情報の表示を示す図である。
【図５】本発明に従った動作段階を示すフローチャートである。
【図１】
2005500748.tif 000003
【図２】
2005500748.tif 000004
【図４】
2005500748.tif 000005
【図５】
2005500748.tif 000006
【国際公開パンフレット】
2005500748.tif 000007
2005500748.tif 000008
2005500748.tif 000009
2005500748.tif 000010
2005500748.tif 000011
2005500748.tif 000012
2005500748.tif 000013
2005500748.tif 000014
2005500748.tif 000015
2005500748.tif 000016
2005500748.tif 000017
2005500748.tif 000018
2005500748.tif 000019
2005500748.tif 000020
2005500748.tif 000021
2005500748.tif 000022
【国際調査報告】
2005500748.tif 000023
2005500748.tif 000024
2005500748.tif 000025